(57)【要約】【課題】複数人でテレビを視聴している場合において、他の人の視聴の邪魔となることなく、視聴したい番組を大きな分類で調べることができるようにする。【解決手段】番組分類の情報を、リモートコントローラ１１０からテレビ１０１も送信し、リモートコントローラ１１０から送信された番組分類の情報受信したテレビ１０１は、番組分類の情報に適合する番組を検索し、検索結果をリモートコントローラ１１０に送信する。検索結果を受信したリモートコントローラ１１０は、受信した検索結果に示された番組を、番組選択ボタン１１４に割り当てて、割り当て結果に応じて、番組選択ボタン１１４を点灯させる。これにより、他の人の視聴の邪魔となることなく、視聴したい番組を、リモートコントローラ１１０上のみで調べることができる【選択図】図１
2008236647.tif 000002
【特許請求の範囲】
【請求項１】
リモートコントローラと双方向通信可能であると共に、電子番組情報を取得可能なテレビ放送受信機であって、
前記リモートコントローラから番組分類の情報を受信する第１の受信手段と、
前記第１の受信手段が受信した前記番組分類の情報に適合する番組を検索する検索手段と、
前記検索手段の検索結果を前記リモートコントローラに送信する第１の送信手段とを備えたことを特徴とするテレビ放送受信機。
【請求項２】
前記検索手段は、前記電子番組情報から、前記第１の受信手段が受信した前記番組分類の情報に適合する現在放送中の番組を検索することを特徴とする請求項１に記載のテレビ放送受信機。
【請求項３】
前記検索手段は、前記第１の受信手段が受信した前記番組分類の情報に適合する番組を定期的に検索し、
前記第１の送信手段は、前記検索手段の検索結果に変更がある度に、該変更された検索結果を送信することを特徴とする請求項１又は２に記載のテレビ放送受信機。
【請求項４】
録画した番組を番組分類により管理する管理手段を更に備え、
前記検索手段は、前記管理手段が管理している番組から、前記第１の受信手段が受信した前記番組分類の情報に適合する番組を検索することを特徴とする請求項１〜３のいずれか１項に記載のテレビ放送受信機。
【請求項５】
前記検索手段は、前記管理手段が管理している番組のうちの未再生の番組を検索することを特徴とする請求項４に記載のテレビ放送受信機。
【請求項６】
テレビ放送受信機と双方向通信可能なリモートコントローラであって、
番組分類の情報を前記テレビ放送受信機に送信する第２の送信手段と、
前記第２の送信手段が送信した前記番組分類の情報に適合する番組の検索結果を前記テレビ放送受信機から受信する第２の受信手段と、
前記第２の受信手段が受信した検索結果に示される番組を、番組選択ボタンに割り当てる割り当て管理手段と、
前記割り当て管理手段の割り当て結果に応じて、前記番組選択ボタンを点灯させる点灯管理手段とを備えたことを特徴とするリモートコントローラ。
【請求項７】
前記検索結果は、前記番組分類に適合する現在放送中の番組の情報を含むことを特徴とする請求項６に記載のリモートコントローラ。
【請求項８】
前記検索結果は、更に前記番組分類に適合する前記テレビ放送受信機が録画した番組の情報を含むことを特徴とする請求項７に記載のリモートコントローラ。
【請求項９】
前記点灯管理手段は、現在放送中の番組が割り当てられた前記番組選択ボタンと前記テレビ放送受信機が録画した番組が割り当てられた前記番組選択ボタンとで、点灯の態様を変えることを特徴とする請求項８に記載のリモートコントローラ。
【請求項１０】
前記番組分類を選択可能な選択手段を更に備えたことを特徴とする請求項６〜９のいずれか１項に記載のリモートコントローラ。
【請求項１１】
前記第２の受信手段が受信した検索結果に示される番組を割り当てられた前記番組選択ボタンを操作することで、前記テレビ放送受信機に前記検索結果に示される番組を表示させる指示をすることを特徴とする請求項６〜１０のいずれか１項に記載のリモートコントローラ。
【請求項１２】
請求項１〜５のいずれか１項に記載のテレビ放送受信機と請求項６〜１１のいずれか１項に記載のリモートコントローラとを含むテレビ放送受信システム。
【請求項１３】
リモートコントローラと双方向通信可能であると共に、電子番組情報を取得可能なテレビ放送受信機の制御方法であって、
前記リモートコントローラから番組分類の情報を受信する受信ステップと、
前記受信ステップで受信した前記番組分類の情報に適合する番組を検索する検索ステップと、
前記検索ステップの検索結果を前記リモートコントローラに送信する送信ステップとを有することを特徴とするテレビ放送受信機の制御方法。
【請求項１４】
テレビ放送受信機と双方向通信可能なリモートコントローラの制御方法であって、
番組分類の情報を前記テレビ放送受信機に送信する送信ステップと、
前記送信ステップで送信した前記番組分類の情報に適合する番組の検索結果を前記テレビ放送受信機から受信する受信ステップと、
前記受信ステップで受信した検索結果に示される番組を、番組選択ボタンに割り当てる割り当て管理ステップと、
前記割り当て管理ステップの割り当て結果に応じて、前記番組選択ボタンを点灯させる点灯管理ステップとを有することを特徴とするリモートコントローラの制御方法。
【請求項１５】
電子番組情報を取得可能なテレビ放送受信機と、前記テレビ放送受信機と双方向通信可能なリモートコントローラとを含むテレビ放送受信システムにおける番組検索方法であって、
番組分類の情報を、前記リモートコントローラから前記テレビ放送受信機に送信する第１の送信ステップと、
前記リモートコントローラから送信された前記番組分類の情報を前記テレビ放送受信機で受信する第１の受信ステップと、
前記第１の受信ステップで受信した前記番組分類の情報に適合する番組を前記テレビ放送受信機にて検索する検索ステップと、
前記検索ステップの検索結果を前記テレビ放送受信機から前記リモートコントローラに送信する第２の送信ステップと、
前記第２の送信ステップで送信した前記検索結果を前記リモートコントローラで受信する第２の受信ステップと、
前記第２の受信ステップで受信した前記検索結果に示される番組を、番組選択ボタンに割り当てる割り当て管理ステップと、
前記割り当て管理ステップの割り当て結果に応じて、前記番組選択ボタンを点灯させる点灯管理ステップとを有することを特徴とするテレビ放送受信システムにおける番組検索方法。
【請求項１６】
リモートコントローラと双方向通信可能であると共に、電子番組情報を取得可能なテレビ放送受信機を制御するためのコンピュータプログラムであって、
前記リモートコントローラから番組分類の情報を受信する受信ステップと、
前記受信ステップで受信した前記番組分類の情報に適合する番組を検索する検索ステップと、
前記検索ステップの検索結果を前記リモートコントローラに送信する送信ステップとをコンピュータに実行させることを特徴とするコンピュータプログラム。
【請求項１７】
テレビ放送受信機と双方向通信可能なリモートコントローラを制御するためのコンピュータプログラムであって、
番組分類の情報を前記テレビ放送受信機に送信する送信ステップと、
前記送信ステップで送信した前記番組分類の情報に適合する番組の検索結果を前記テレビ放送受信機から受信する受信ステップと、
前記受信ステップで受信した検索結果に示される番組を、番組選択ボタンに割り当てる割り当て管理ステップと、
前記割り当て管理ステップの割り当て結果に応じて、前記番組選択ボタンを点灯させる点灯管理ステップとをコンピュータに実行させることを特徴とするコンピュータプログラム。
【発明の詳細な説明】
【技術分野】
【０００１】
本発明は、電子番組情報から所望の番組を検索する際に用いて好適なテレビ放送受信機、リモートコントローラ、及びテレビ放送受信システムに関する。
【背景技術】
【０００２】
現在、地上波、ＢＳ、ＣＳ、及びケーブルテレビ等からテレビで放送可能な番組が多数提供されており、更にデジタル放送及びデジタル録画機器の登場により、ユーザは多くの番組を視聴できるようになってきている。
【０００３】
また、電子番組表を取得可能なテレビの登場により、ユーザはテレビから所望の番組を検索し、テレビ画面上で番組の選択を行うことができるようになっている。例えば特許文献１では、テレビ画面を分割して、指定した番組の種類で現在放送されている番組の映像と今後放送予定の番組の情報とを同時に表示することが開示されている。
【０００４】
【特許文献１】特開平６−１５３１０９号公報
【発明の開示】
【発明が解決しようとする課題】
【０００５】
しかしながら、従来の技術では、例えば家族で視聴しているときに、特定の一人だけが見たい番組の検索のためにテレビの画面上で操作を行なわなければならない。そのため、他の人の視聴をその検索の操作を行なっている間邪魔してしまうことになる。
【０００６】
また、ユーザは単に特定の番組を視聴したいというよりは、例えばニュースを視聴したい、任意のスポーツを視聴したいといった、番組の大きな分類で視聴が許されている時間において番組を視聴したいと考えている場合がある。そのため、番組の大きな分類において、番組が放送されているかどうかを容易に知りたいといった要求がある。
【０００７】
本発明は係る実情に鑑みてなされたものであり、複数人でテレビを視聴している場合において他の人の視聴の邪魔となることなく、また番組の大きな分類で、視聴したい番組を調べることができるようにすることを目的とする。
【課題を解決するための手段】
【０００８】
本発明のテレビ放送受信機は、リモートコントローラと双方向通信可能であると共に、電子番組情報を取得可能なテレビ放送受信機であって、前記リモートコントローラから番組分類の情報を受信する第１の受信手段と、前記第１の受信手段が受信した前記番組分類の情報に適合する番組を検索する検索手段と、前記検索手段の検索結果を前記リモートコントローラに送信する第１の送信手段とを備えたことを特徴とする。
また、本発明のリモートコントローラは、テレビ放送受信機と双方向通信可能なリモートコントローラであって、番組分類の情報を前記テレビ放送受信機に送信する第２の送信手段と、前記第２の送信手段が送信した前記番組分類の情報に適合する番組の検索結果を前記テレビ放送受信機から受信する第２の受信手段と、前記第２の受信手段が受信した検索結果に示される番組を、番組選択ボタンに割り当てる割り当て管理手段と、前記割り当て管理手段の割り当て結果に応じて、前記番組選択ボタンを点灯させる点灯管理手段とを備えたことを特徴とする。
また、本発明のテレビ放送受信システムは、上記に記載のテレビ放送受信機と上記に記載のリモートコントローラとを含むことを特徴とする。
また、本発明のテレビ放送受信機の制御方法は、リモートコントローラと双方向通信可能であると共に、電子番組情報を取得可能なテレビ放送受信機の制御方法であって、前記リモートコントローラから番組分類の情報を受信する受信ステップと、前記受信ステップで受信した前記番組分類の情報に適合する番組を検索する検索ステップと、前記検索ステップの検索結果を前記リモートコントローラに送信する送信ステップとを有することを特徴とする。
また、本発明のリモートコントローラの制御方法は、テレビ放送受信機と双方向通信可能なリモートコントローラの制御方法であって、番組分類の情報を前記テレビ放送受信機に送信する送信ステップと、前記送信ステップで送信した前記番組分類の情報に適合する番組の検索結果を前記テレビ放送受信機から受信する受信ステップと、前記受信ステップで受信した検索結果に示される番組を、番組選択ボタンに割り当てる割り当て管理ステップと、前記割り当て管理ステップの割り当て結果に応じて、前記番組選択ボタンを点灯させる点灯管理ステップとを有することを特徴とする。
また、本発明の番組検索方法は、電子番組情報を取得可能なテレビ放送受信機と、前記テレビ放送受信機と双方向通信可能なリモートコントローラとを含むテレビ放送受信システムにおける番組検索方法であって、番組分類の情報を、前記リモートコントローラから前記テレビ放送受信機に送信する第１の送信ステップと、前記リモートコントローラから送信された前記番組分類の情報を前記テレビ放送受信機で受信する第１の受信ステップと、前記第１の受信ステップで受信した前記番組分類の情報に適合する番組を前記テレビ放送受信機にて検索する検索ステップと、前記検索ステップの検索結果を前記テレビ放送受信機から前記リモートコントローラに送信する第２の送信ステップと、前記第２の送信ステップで送信した前記検索結果を前記リモートコントローラで受信する第２の受信ステップと、前記第２の受信ステップで受信した前記検索結果に示される番組を、番組選択ボタンに割り当てる割り当て管理ステップと、前記割り当て管理ステップの割り当て結果に応じて、前記番組選択ボタンを点灯させる点灯管理ステップとを有することを特徴とする。
また、本発明のコンピュータプログラムは、リモートコントローラと双方向通信可能であると共に、電子番組情報を取得可能なテレビ放送受信機を制御するためのコンピュータプログラムであって、前記リモートコントローラから番組分類の情報を受信する受信ステップと、前記受信ステップで受信した前記番組分類の情報に適合する番組を検索する検索ステップと、前記検索ステップの検索結果を前記リモートコントローラに送信する送信ステップとをコンピュータに実行させることを特徴とする。
また、本発明のコンピュータプログラムは、テレビ放送受信機と双方向通信可能なリモートコントローラを制御するためのコンピュータプログラムであって、番組分類の情報を前記テレビ放送受信機に送信する送信ステップと、前記送信ステップで送信した前記番組分類の情報に適合する番組の検索結果を前記テレビ放送受信機から受信する受信ステップと、前記受信ステップで受信した検索結果に示される番組を、番組選択ボタンに割り当てる割り当て管理ステップと、前記割り当て管理ステップの割り当て結果に応じて、前記番組選択ボタンを点灯させる点灯管理ステップとをコンピュータに実行させることを特徴とする。
【発明の効果】
【０００９】
本発明によれば、ユーザが視聴したい番組を、テレビ画面を用いる必用なく、リモートコントローラ上のみで容易に調べることができる。
【発明を実施するための最良の形態】
【００１０】
以下、本発明の実施の形態を図を基に説明する。
＜全体のシステム構成＞
図１は、本発明の実施の形態に係るテレビ及びリモコンを示す図である。テレビ１０１は、電子番組情報を取得可能であると共に、録画機能を有するテレビ放送受信機である。リモートコントローラ１１０（以下、リモコン）は、テレビ１０１と双方向通信可能なリモートコントローラである。
【００１１】
リモコン１１０は、番組カテゴリ表示部１１１、ノブ１１２、カテゴリ選択決定ボタン１１３、番組選択ボタン１１４、チャンネルアップダウンキー１１５、及び音量調整アップダウンキー１１６を有する。
【００１２】
番組カテゴリ表示部１１１は、番組カテゴリ（番組分類）を表示する。ノブ１１２は、番組カテゴリ表示部１１１に表示された番組カテゴリを変更するための操作部材である。カテゴリ選択決定ボタン１１３は、番組カテゴリ表示部１１１に表示された番組カテゴリに適合する現在放送中の番組及び未再生の録画番組の情報を取得するためのトリガーとして使用される。
【００１３】
番組選択ボタン１１４は、カテゴリ選択決定ボタン１１３を操作することで取得された現在放送中の番組及び未再生の録画番組の情報を可変的に割り当てられて、割り当てられた情報に応じて複数種類の色で点灯可能である。
【００１４】
チャンネルアップダウンキー１１５は、ユーザの操作に応じて、チャンネル（番組）を順次変更するためのボタンである。音量調整アップダウンキー１１６は、ユーザの操作に応じて、テレビ１０１の音量を変更するためのボタンである。
【００１５】
なお、テレビ１０１及びリモコン１１０は、ＷＬＡＮを用いることで、双方向の通信を行なうことが可能であるが、双方向で通信可能である通信手段であれば、これに限定されるものではない。
【００１６】
＜テレビのシステム構成＞
図２は、テレビ１０１のシステム構成を示す図である。図２において、チューナ部２０１は、不図示の信号入力部より入力される放送信号を受信し、放送信号を復調することによって所望のチャンネルの音声情報、映像情報及び電子番組情報に分離する。
【００１７】
音声処理部２０２は、チューナ部２０１で復調された音声情報を処理する。音声発生部２０３は、音声処理部２０２で処理された情報をユーザが音として聞こえるように出力する所謂スピーカである。
【００１８】
映像処理部２０４は、チューナ部２０１で復調された映像情報を処理する。表示部２０５は、映像処理部２０４で処理された情報をユーザが視覚認識できるように表示する所謂ディスプレイである。
【００１９】
日付時刻管理部２０６は、現在の日付及び時刻を管理する。番組カテゴリ管理部２０７は、チューナ部２０１で復調された電子番組情報と、日付時刻管理部２０６から取得できる現在の日付及び時刻とから番組を検索し記憶する。より詳しくは、その日付及び時刻で放送されている、若しくはそれ以降の規定時間内に放送される番組を番組カテゴリごとに分類及び検索し、コンテンツ・リストとして記憶する。
【００２０】
録画番組管理部２０８は、ユーザによって指定された番組を録画し、録画時の情報を録画ＩＤによって保持管理する。再生録画ユニット２０９は、録画番組管理部２０８で管理されている録画情報に対する映像情報及び音声情報をチューナ部２０１より取得し、音声画像圧縮技術により情報を圧縮し、ファイルとして記録しておく記録媒体を備える。そして、この記録媒体に記録されたファイルから音声画像伸張技術により音声情報、画像情報を取り出し、録画した番組を再生する。
【００２１】
リモコン通信部２１０は、リモコン１１０からの信号を受信すると共にその受信情報の処理をする。より詳しくは、受信した情報を基に、番組カテゴリ管理部２０７及び録画番組管理部２０８が管理するコンテンツ・リストと録画ＩＤとを取得して、リモコン１１０に送信する後述の番組コンテンツ・スクリプトを作成し、送信する。
【００２２】
本実施の形態では、電子番組表を取得するのに、チューナ部２０１で受信する方法を述べているが、これの他に、インターネットへ接続可能な装置を利用してＷＥＢから電子番組表を取得するような構成としてもよい。或いは、リムーバブルメディアを読み取る外部入力装置を設けて電子番組表を取得するようにすることも可能である。
【００２３】
＜録画ＩＤの管理＞
録画番組管理部２０８における、録画ＩＤの管理について説明する。録画番組管理部２０８は、再生録画ユニット２０９にて番組録画したファイルを図３に示す録画管理テーブルをもって管理する。なお、本発明でいう管理手段は、録画番組管理部２０８と再生録画ユニット２０９とで構成される。
【００２４】
図３において、録画ＩＤ３０１は、番組録画したファイルにユニークに割り当てられるＩＤである。Ｃａｔｅｇｏｒｙ３０２（カテゴリ）は、録画時にチューナ部２０１より復調した電子番組表から取得される番組カテゴリの第一分類である。ＳｕｂＣａｔｅｇｏｒｙ３０３（サブカテゴリ）は、録画時にチューナ部２０１より復調した電子番組表から取得される番組カテゴリの第二分類である。再生済み／未再生情報３０４は、番組録画したファイルが記録後に再生されたか否かを示す情報である。
【００２５】
このような、Ｃａｔｅｇｏｒｙ３０２、ＳｕｂＣａｔｅｇｏｒｙ３０３、及び再生済み／未再生情報３０４は、録画ＩＤ３０１に関連付けされて、録画番組管理部２０８に記録される。
【００２６】
＜リモコンのシステム構成＞
図４は、リモコン１１０のシステム構成を示す図である。図４において、番組コンテンツ管理部４０１は、複数種類に分類された番組カテゴリを番組カテゴリ・リストとして保持管理する。なお、番組カテゴリ・リストは、後述する図５に示すように複数種類の番組カテゴリを分類ごとにまとめたリストである。
【００２７】
番組コンテンツ管理部４０１は更に、番組カテゴリ・リストから番組カテゴリを指定して、テレビ１０１に対して番組カテゴリと適合する番組の検索結果を示すコンテンツ情報を検索して返信するように依頼する。また、コンテンツ情報が返信された場合には、コンテンツ情報のうちの番組の情報と録画ＩＤの情報を番組選択ボタン１１４に割り当てる。そして、これら情報を割り当てられた番組選択ボタン１１４を点灯させるようにする。
【００２８】
番組カテゴリ表示部４０２は、番組コンテンツ管理部４０１が保持管理する番組カテゴリ・リストのうちの一つの番組カテゴリを表示する。なお、番組カテゴリ表示部４０２は図１の番組カテゴリ表示部１１１に相当する。
【００２９】
番組カテゴリ操作部４０３は、ユーザの操作に応じて、番組カテゴリ表示部４０２に表示された番組カテゴリを変更すると共に、表示されている番組カテゴリに適合するコンテンツ情報の取得の指示を番組コンテンツ管理部４０１に対して行なう。なお、番組カテゴリ操作部４０３は、図１のノブ１１２及びカテゴリ選択決定ボタン１１３に相当する。
【００３０】
番組選択操作部４０４は、押下可能に構成されると共に複数の色で点灯することができ図１の番組選択ボタン１１４と、チャンネルアップダウンキー１１５及び音量調整アップダウンキー１１６とに相当する。
【００３１】
テレビ通信部４０６は、番組コンテンツ管理部４０１が番組カテゴリを指定して、テレビ１０１に対しコンテンツ情報の検索及び返信を依頼する場合に、依頼のための選択番組カテゴリ・スクリプトを作成し、テレビ１０１のリモコン通信部２１０へ送信する。なお、選択番組カテゴリ・スクリプトについては後述する。テレビ通信部４０６は更に、テレビ１０１のリモコン通信部２１０より返信されるコンテンツ情報を含む番組コンテンツ・スクリプトを受信し、それに含まれる番組の情報及び録画ＩＤの情報を取得し、番組コンテンツ管理部４０１へ引き渡す。
【００３２】
＜番組カテゴリ・リスト＞
番組コンテンツ管理部４０１が管理する番組カテゴリ・リストについて図５を用いて説明する。
【００３３】
図５において、ＩＤ５０１は、番組カテゴリ・リストのそれぞれの要素を識別するためのＩＤである。Ｃａｔｅｇｏｒｙ５０２（カテゴリ）は、ＩＤ５０１に関連付けられた番組カテゴリの第一分類である。ＳｕｂＣａｔｅｇｏｒｙ５０３（サブカテゴリ）は、ＩＤ５０１に関連付けられた番組カテゴリの第二分類である。
【００３４】
図５において、ＩＤ５０１の「１」と対応するＣａｔｅｇｏｒｙ５０２は「Ｎｏｎｅ」の値になっているが、これは番組カテゴリの第一分類において特別に指定しないことを意味する。また、ＳｕｂＣａｔｅｇｏｒｙ５０３の「−」は、カテゴリの第二分類において特別に指定しないことを意味する。
【００３５】
なお、番組カテゴリ・リストにおける番組カテゴリの第一分類、及び番組カテゴリの第二分類は、ＥＰＧ（電子番組ガイド）で定義される番組カテゴリに合わせて、予め番組コンテンツ管理部４０１に保持管理させておくことも可能である。或いはユーザが予め任意に定めておいても構わない。
【００３６】
＜番組カテゴリの表示と操作＞
次にリモコン１１０における番組カテゴリの表示と操作について図６を用いて説明する。
【００３７】
図６において、ノブ１１２は、回転可能に構成され、ユーザが回転操作することで、所定の番組カテゴリ及びサブカテゴリを選択可能なユーザ・インターフェースである。なお、ノブ１１２は、本発明でいう選択手段に対応する。
【００３８】
６０２ａは、番組カテゴリ表示部１１１の表示状態を示し、この例は、図５に示した番組カテゴリ・リストのＩＤ５０１のうちの「５」が選択された場合である。この場合、Ｃａｔｅｇｏｒｙ５０２に「スポーツ」、ＳｕｂＣａｔｅｇｏｒｙ５０３に「野球」が表示される。
【００３９】
この６０２ａに示す状態から、ノブ１１２を回転させることで、ＩＤ５０１のいずれかの番号に対応するＣａｔｅｇｏｒｙ５０２、ＳｕｂＣａｔｅｇｏｒｙ５０３を番組カテゴリ表示部４０２に表示させることができる。
【００４０】
例えば、６０２ｂは、ノブ１１２を回転させて、ＩＤ５０１のうちの「６」が選択された場合の表示内容を示したものである。また、６０２ｃは、ノブ１１２を回転させて、ＩＤ５０１のうちの「７」が選択された表示内容を示したものである。また、ノブ１１２は、操作に応じて、ＩＤ５０１を一つずつ変化させ、最小値、最大値をサイクリックに選択できるように構成される。
【００４１】
＜選択番組カテゴリ・スクリプトと番組コンテンツ・スクリプト＞
本実施の形態に係るテレビ１０１及びリモコン１１０は、スクリプトの送受信によって番組カテゴリに適合するコンテンツ情報の検索依頼を行い、この依頼に対する返信を行なう。送受信において用いられるスクリプトのフォーマットについて図７を用いて説明する。
【００４２】
７０１は、リモコン１１０がテレビ１０１に送信するスクリプトのフォーマット（選択番組カテゴリ・スクリプト）の一例を示す図である。フォーマット７０１は、＜ＳｅｌｅｃｔＣａｔｅｇｏｒｙ＞エレメント内に、＜Ｃａｔｅｇｏｒｙ＞及び＜ＳｕｂＣａｔｅｇｏｒｙ＞エレメントを記述したＸＭＬ形式のフォーマットである。
【００４３】
＜ＳｅｌｅｃｔＣａｔｅｇｏｒｙ＞エレメントは、番組コンテンツの返信依頼であることを示す記述であり、＜Ｃａｔｅｇｏｒｙ＞エレメント及び＜ＳｕｂＣａｔｅｇｏｒｙ＞エレメントは、番組カテゴリの第一分類及び第二分類を指定するための記述である。
【００４４】
本例は、図５の番組カテゴリ・リストのＩＤ５０１が「６」である場合を選択した例であり、＜Ｃａｔｅｇｏｒｙ＞エレメントに「スポーツ」、＜ＳｕｂＣａｔｅｇｏｒｙ＞エレメントに「ゴルフ」が与えられている。
【００４５】
７０２は、テレビ１０１がリモコン１１０に送信するスクリプトのフォーマット（番組カテゴリ・スクリプト）の一例である。フォーマット７０２は、＜ＣａｔｅｇｏｒｙＣｏｎｔｅｎｔｓ＞エレメント内に、＜Ｃａｔｅｇｏｒｙ＞、＜ＳｕｂＣａｔｅｇｏｒｙ＞、＜ＣｈａｎｎｅｌＮｕｍｂｅｒ＞、＜Ｃｈａｎｎｅｌ＞、＜ＲｅｃｏｒｄＮｕｍｂｅｒ＞、及び＜Ｒｅｃｏｒｄ＞エレメントを記述したＸＭＬ形式のフォーマットである。
【００４６】
＜ＣａｔｅｇｏｒｙＣｏｎｔｅｎｔｓ＞エレメントは、番組コンテンツの返信であることを示す記述であり、＜Ｃａｔｅｇｏｒｙ＞エレメント及び＜ＳｕｂＣａｔｅｇｏｒｙ＞エレメントは、番組カテゴリの第一分類及び第二分類を指定するための記述である。また、＜ＣｈａｎｎｅｌＮｕｍｂｅｒ＞エレメントは、番組カテゴリにマッチした番組数を特定するための記述である。＜Ｃｈａｎｎｅｌ＞エレメントは、テレビ１０１において放送可能な番組に対応するチャンネル番号を特定するための記述である。＜ＲｅｃｏｒｄＮｕｍｂｅｒ＞エレメントは、番組カテゴリにマッチした録画番組の数を特定するための記述である。＜Ｒｅｃｏｒｄ＞エレメントは、録画番組の録画ＩＤを特定するためのエレメントである。
【００４７】
本例は、図５のＩＤ５０１の「６」を指定したものに対する返信であるため、＜Ｃａｔｅｇｏｒｙ＞エレメントに「スポーツ」、＜ＳｕｂＣａｔｅｇｏｒｙ＞エレメントには「ゴルフ」が与えられている。また、＜ＣｈａｎｎｅｌＮｕｍｂｅｒ＞エレメントには「２」が、＜Ｃｈａｎｎｅｌ＞エレメントにはＣＨ５０とＣＨ２１７が、＜ＲｅｃｏｒｄＮｕｍｂｅｒ＞エレメントには「１」が、<Ｒｅｃｏｒｄ>エレメントには「ＲＥＣＩＤ６」がそれぞれ与えられている。つまり、番組カテゴリとマッチした番組が２本であり、それら番組に対応するチャンネルが"ＣＨ５０"と"ＣＨ２１７"であり、番組カテゴリとマッチした録画番組が１本であり、録画した番組に対応する録画ＩＤがＲＥＣＩＤ６であることを示している。
【００４８】
なお、図７に示すようなフォーマットを用いれば、番組コンテンツの量が増えようとも、＜Ｃｈａｎｎｅｌ＞エレメントと＜Ｒｅｃｏｒｄ＞エレメントを増やすことで対応ができる。
【００４９】
また、番組カテゴリにマッチする番組がなかった場合は、＜ＣｈａｎｎｅｌＮｕｍｂｅｒ＞エレメントの値が「０」、＜ＲｅｃｏｒｄＮｕｍｂｅｒ＞エレメントの値が「０」となる。それに伴い、＜Ｃｈａｎｎｅｌ＞エレメント及び＜Ｒｅｃｏｒｄ＞エレメントがない＜ＣａｔｅｇｏｒｙＣｏｎｔｅｎｔｓ＞エレメントになり、その内容のスクリプトとして送信されることになる。
【００５０】
＜番組カテゴリ検索依頼送信シーケンス＞
リモコン１１０にて番組カテゴリが選択され、カテゴリ選択決定ボタン１１３が押されることで開始される選択番組カテゴリ・スクリプトの作成及び通信のシーケンスを図８を用いて説明する。選択番組カテゴリ・スクリプトは、テレビ１０１に対して番組カテゴリと適合する番組を検索して、その検索結果を返信するように依頼する場合に用いられるものであり、図７で示したフォーマットにより作成される。
【００５１】
まずステップＳ８０１において、リモコン１１０は、番組カテゴリ表示部１１１で表示している所定の番組カテゴリを図５で示した番組カテゴリ・リストから取得し、図７のフォーマット７０１を用いて選択番組カテゴリ・スクリプトを作成する。
【００５２】
次にステップＳ８０２において、リモコン１１０は、テレビ１０１のリモコン通信部２１０と接続を試みる。
【００５３】
次にステップＳ８０３において、リモコン１１０は、ステップＳ８０２における接続が成功したかどうかを判断する。成功したらステップＳ８０４に進み、失敗したら何も行なわずに処理を終了する。
【００５４】
そしてステップＳ８０４において、リモコン１１０は、テレビ通信部４０６を用いて、リモコン通信部２１０に対して選択番組カテゴリ・スクリプトを送信して、処理を終了する。以上の図８を用いて説明した処理は、本発明でいう第２の送信手段による処理に対応する。
【００５５】
＜選択番組カテゴリ・スクリプト受信処理シーケンス＞
テレビ１０１にて、リモコン１１０から送信された選択番組カテゴリ・スクリプトを受信したときの処理を図９を用いて説明する。
【００５６】
まずステップＳ９０１において、テレビ１０１は、受信した選択番組カテゴリ・スクリプトから番組カテゴリ及びサブカテゴリを抽出しメモリに保持する。
【００５７】
次にステップＳ９０２において、ステップＳ９０１で抽出した番組カテゴリの判定を行なう。図５に示したようにＣａｔｅｇｏｒｙ５０２が「Ｎｏｎｅ」でなければ、ステップＳ９０３に進む。Ｃａｔｅｇｏｒｙ５０２が「Ｎｏｎｅ」であった場合は、ステップＳ９１２に進み、後述する番組コンテンツ変更を通知させるための独立した処理を終了させる。
【００５８】
ステップＳ９０３において、テレビ１０１は、日付時刻管理部２０６から現在の日付及び時刻を取得する。
【００５９】
次にステップＳ９０４において、テレビ１０１は、チューナ部２０１から復調された電子番組表を取得する。
【００６０】
次にステップＳ９０５において、テレビ１０１は、ステップＳ９０４で取得した電子番組表とステップＳ９０３で取得した日付及び時刻とに基き、現在の日付及び時刻で放送中の番組の中でステップＳ９０１で取得した番組カテゴリ及びサブカテゴリにマッチ（適合）する番組があるか否かを番組カテゴリ管理部２０７によって番組検索する。
【００６１】
次にステップＳ９０６において、テレビ１０１は、ステップＳ９０５で検索した検索結果、換言すれば番組カテゴリに適合した番組の情報をコンテンツ・リストとして作成する。
【００６２】
次にステップＳ９０７において、テレビ１０１は、ステップＳ９０１で取得した番組カテゴリ及びサブカテゴリにマッチする録画ＩＤを録画番組管理部２０８によって番組検索する。ここで検索される録画ＩＤは、録画済みで未再生である録画番組に対応する録画ＩＤである。
【００６３】
次にステップＳ９０８において、テレビ１０１は、ステップＳ９０７で取得した検索結果、換言すれば番組カテゴリに適合した録画ＩＤの情報を、ステップＳ９０６で作成したコンテンツ・リストに追加する。
【００６４】
次にステップＳ９０９において、テレビ１０１は、ステップＳ９０６で作成し、ステップＳ９０９で情報を追加したコンテンツ・リストに基き、図７のフォーマット７０２を用いて、番組コンテンツ・スクリプトを作成する。
【００６５】
次にステップＳ９１０において、テレビ１０１は、ステップＳ９０９で作成した番組コンテンツ・スクリプトをリモコン１１０のテレビ通信部４０６へ送信する。
【００６６】
そして、ステップＳ９１１において、テレビ１０１は、定期的に番組コンテンツ変更を通知するための番組コンテンツ変更を通知させるための独立した処理を開始させて、本処理を終了する。
【００６７】
以上で説明した処理は、本発明でいう第１の受信手段、検索手段、及び第１の送信手段による処理に対応する。特に、ステップＳ９０１以前までの処理が第１の受信手段による処理に対応し、ステップＳ９０２〜Ｓ９０９までの処理が検索手段による処理に対応し、ステップＳ９１０の処理が第１の送信手段による処理に対応する。
【００６８】
＜番組コンテンツ変更通知シーケンス（番組コンテンツ変更を通知させるための独立した処理）＞
上述したステップＳ９１１における定期的な番組コンテンツ変更を通知させるための独立した処理について図１０を用いて説明する。
【００６９】
処理が開始されると、まずステップＳ１００１において、テレビ１０１は、上記ステップＳ９０１で抽出してメモリに保持した番組カテゴリ及びサブカテゴリを取得する。
【００７０】
次にステップＳ１００２において、テレビ１０１は、日付時刻管理部２０６から現在の日付及び時刻を取得する。
【００７１】
次にステップＳ１００３において、テレビ１０１は、チューナ部２０１から復調した電子番組表を取得する。
【００７２】
次にステップＳ１００４において、テレビ１０１は、ステップＳ１００２で取得した日付及び時刻から６時間以内に放送している番組で、ステップＳ１００１で取得した番組カテゴリ及びサブカテゴリにマッチする番組を検索する。
【００７３】
次にステップＳ１００５において、テレビ１０１は、ステップＳ１００４でマッチした番組と番組の放送時間のコンテンツ・リストを作成する。
【００７４】
次にステップＳ１００６において、テレビ１０１は、ステップＳ１００５で作成したコンテンツ・リストから番組が終了する時間、つまり、コンテンツが変更される時間を取得して、変更通知時間として記録する。
【００７５】
次にステップＳ１００７において、テレビ１０１は、日付時刻管理部２０６から現在の日付及び時刻とステップＳ１００６で記憶した変更通知時間とを取得する。
【００７６】
次にステップＳ１００８において、テレビ１０１は、ステップＳ１００７において取得した日付及び時刻と変更通知時間とを比較する。
まず、ステップＳ１００７で取得した日付及び時刻がステップＳ１００５で作成したコンテンツ・リストの作成時間から５時間５０分が経過していた場合は、ステップＳ１００３に戻り、ステップＳ１００３からの処理を再度実行する。
また、ステップＳ１００７で取得した日付及び時刻がステップＳ１００５で作成したコンテンツ・リストの作成時間から５時間５０分を経過しておらず、且つ、ステップＳ１００６で記録した変更通知時間ともマッチしない場合にはステップＳ１００７に戻る。そして、ステップＳ１００７からの処理を再度実行する。
また、ステップＳ１００７で取得した日付及び時刻がステップＳ１００６で記録した変更通知時間とマッチした場合にはステップＳ１００９に進む。
【００７７】
ステップＳ１００９において、テレビ１０１は、ステップＳ１００５で作成したコンテンツ・リストに基き、変更通知時間の１分後のコンテンツ・リストを新たに作成する。
【００７８】
ステップＳ１０１０において、テレビ１０１は、再生録画ユニット２０９から番組カテゴリにマッチする録画済みの録画ＩＤを検索する。
【００７９】
次にステップＳ１０１１において、テレビ１０１は、ステップＳ１００９で作成したコンテンツ・リストにステップＳ１０１０で取得した録画ＩＤを追加する。
【００８０】
次にステップＳ１０１２において、テレビ１０１は、ステップＳ１００９で作成してステップＳ１０１１で情報を追加したコンテンツ・リストから図７に示したフォーマット７０２を用いて、番組コンテンツ・スクリプトを作成する。
【００８１】
そして、ステップＳ１０１３において、テレビ１０１は、ステップＳ１０１２で作成した番組コンテンツ・スクリプトをリモコン１１０に送信し、再びステップＳ１００７から処理を繰り返す。
【００８２】
以上で説明した処理により、一度選択した番組カテゴリとマッチする番組に変更があった場合に、その旨を自動的にリモコン１１０に通知するように新たなコンテンツ情報を送信することができる。なお、以上で説明した処理は、本発明でいう、番組分類の情報を定期的に検索する検索手段と、検索手段の検索結果に変更がある度に、変更された検索結果を送信する第１の送信手段の処理に対応する。
【００８３】
また、以上で説明した処理において、ステップＳ１１０４では６時間、ステップＳ１１０８では５時間５０分、ステップＳ１００９では１分と時間を設定したが、この時間は任意に設定して構わない。
【００８４】
＜番組コンテンツ受信処理シーケンス＞
テレビ１０１で作成された番組コンテンツ・スクリプトをリモコン１１０で受信したときの処理について図１１を用いて説明する。
【００８５】
まずステップＳ１１０１において、リモコン１１０は、番組選択ボタン１１４を全て消灯させる。
【００８６】
次にステップＳ１１０２において、リモコン１１０は、受信した番組コンテンツ・スクリプトから番組カテゴリとサブカテゴリを取得する。
【００８７】
次にステップＳ１１０３において、リモコン１１０は、番組カテゴリ表示部１１１にステップＳ１１０２で取得した番組カテゴリとサブカテゴリを表示する。
【００８８】
次にステップＳ１１０４において、リモコン１１０は、受信した番組コンテンツ・スクリプトから番組の情報及び録画ＩＤの情報のリストを作成する。
【００８９】
次にステップＳ１１０５において、リモコン１１０は、ステップＳ１１０４で作成したリストから情報を一つ取り出す。
【００９０】
次にステップＳ１１０６において、リモコン１１０は、ステップＳ１１０５で取り出した情報の種類及び情報の有無を判定する。ステップＳ１１０５で取り出した情報が番組の情報であれば、ステップＳ１１０７に進む。取り出した情報が録画ＩＤの情報であれば、ステップＳ１１０９に進む。
【００９１】
ステップＳ１１０７において、リモコン１１０は、情報の割り当てがまだされていない番組選択ボタン１１４の一つに番組の情報、換言すれば該情報に対応する番組を割り当てる。そしてステップＳ１１０８において、リモコン１１０は、ステップＳ１１０７で割り当てた番組選択ボタン１１４を点灯させて、その後ステップＳ１１１１に進む。
【００９２】
またステップＳ１１０９において、リモコン１１０は、情報の割り当てがまだされていない番組選択ボタン１１４の一つに録画ＩＤの情報、換言すれば該情報に対応する番組を割り当てる。そしてステップＳ１１１０において、リモコン１１０は、ステップＳ１１０９で割り当てた番組選択ボタン１１４を点灯させて、その後ステップＳ１１１１に進む。
【００９３】
ステップＳ１１１１において、リモコン１１０は、リストのポインタを一つ進め（デクリメント）させ、ステップＳ１１０５に戻り、リストから新たな一つの情報を取得する。
【００９４】
そしてステップＳ１１０６において、リモコン１１０がリストに既に情報がない、もしくは、割り当てる番組選択ボタン１１４がないと判定した場合には、そこで処理を終了させる。
【００９５】
以上で説明した処理は、本発明でいう第２の受信手段、割り当て管理手段、及び点灯管理手段による処理に対応する。特に、ステップＳ１１０１以前までの処理は第２の受信手段による処理に対応する。また、ステップＳ１１０４〜Ｓ１１０７、ステップＳ１１０４〜Ｓ１１０６及びＳ１１０９の処理は割り当て管理手段による処理に対応し、ステップＳ１１０８及びＳ１１１０の処理は点灯管理手段による処理に対応する。
【００９６】
＜番組選択ボタンの点灯させる順番＞
次に上述したステップＳ１１０５〜Ｓ１１１１にいたる処理において番組選択ボタン１１４を点灯させる場合の、点灯させる順番について図１２を用いて説明する。
【００９７】
１２０１は、図１に示した番組選択ボタン１１４を、ステップＳ１１０１の処理で全て消灯させた状態を示している。
【００９８】
１２０２は、一番最初にステップＳ１１０５でリストから１つ情報を取得し、ステップＳ１１０７において番組の情報を番組選択ボタン１１４に割り当てた後に、ステップＳ１１０８において１２０２ａで示される番組選択ボタン１１４を点灯させた状態を示す。
【００９９】
１２０３は、１２０２の状態の後に、更にステップＳ１１０７において番組の情報を番組選択ボタン１１４に割り当てて、ステップＳ１１０８において１２０３ａで示される番組選択ボタン１１４を点灯させた状態を示している。
【０１００】
１２０４は、ステップＳ１１０７において番組の情報を番組選択ボタン１１４に割り当てて、ステップＳ１１０８において割り当てたボタンの点灯を５回繰り返した後に、番組選択ボタン１１４を点灯させた状態を示している。
【０１０１】
１２０５は、１２０４の状態の後に、ステップＳ１１０９において録画ＩＤの情報を番組選択ボタン１１４に割り当てた後に、ステップＳ１１１０において１２０５ａで示される番組選択ボタン１１４を点灯させた状態を示している。１２０５に示されるように、１２０５ａで示される番組選択ボタン１１４は、番組を割り当てたときと異なる色で点灯させている。
【０１０２】
１２０６は、１２０５の状態の後に、ステップＳ１１０９において録画ＩＤの情報を番組選択ボタン１１４に割り当てた後に、ステップＳ１１１０において番組選択ボタン１１４をさらに点灯させた状態を示している。なお、本実施の形態では、番組の情報及び録画ＩＤの情報は、番組選択ボタン１１４において詰めるように並べられて割り当てられる。
【０１０３】
以上のように番組選択ボタン１１４を、現在放送中の番組と録画ＩＤとで点灯色を異ならせて点灯させることで、現在放送中の番組か、或いは録画された番組かを一目でユーザに伝えるようにすることができる。なお、点灯色ではなく、通常の点灯と点滅による点灯等で点灯の態様を異なるようにして識別できるようにしてもよい。ここで説明した処理は、現在放送中の番組を割り当てられた番組選択ボタンと録画した番組が割り当てられた番組選択ボタンとで、点灯の態様を変える、本発明でいう点灯管理手段の処理に対応する。
【０１０４】
なお、リモコン１１０にて点灯している番組選択ボタン１１４が押下されると、ステップＳ１１０７又はステップＳ１１０９で割り当てた番組又は録画ＩＤの情報がテレビ１０１に通知される。通知を受信したテレビ１０１は、情報に対応する番組を表示し、又は録画番組を再生する。
【０１０５】
以上の本実施の形態では、リモコン１１０からユーザが所望する番組カテゴリをテレビ１０１に通知すると、テレビ１０１は該番組カテゴリと適合する現在放送中の番組或いは録画済みで未再生の録画番組の情報を検索し、検索結果をリモコン１１０に返信する。更に、所望する番組カテゴリとマッチする情報が返信された場合には、リモコン１１０の番組選択ボタン１１４を光らせる。これにより、ユーザは、所望する番組が放送中かどうかをテレビの画面以外で調べることができる。したがって、複数人でテレビ１０１を視聴している場合においても、他の人の視聴の邪魔となることなく、視聴したい番組の大きな分類で番組を調べることができる。
【０１０６】
また、番組カテゴリとマッチする録画済みの録画番組の情報も通知することでユーザの番組視聴の選択の幅を広げることができ、ユーザは気軽に番組を選択して、自身が所望する番組を視聴することができる。更には、ユーザが録画予約をしたことを忘れてしまっている場合でも、ユーザは点灯による通知により気づかされ、録画した番組を見損なう機会を減らすことができる。
【０１０７】
また、一度検索を実施した番組カテゴリについての番組の終了を通知をするように新たなコンテンツ情報を自動的に送信するようにすることで、ユーザは視聴したい番組の変更を容易に知ることができ、ユーザにとっての取り扱い性を向上させることができる。
【０１０８】
また、テレビ１０１で番組予約をしている場合は、予約はしたが、現在視聴している番組を優先して視聴したい場合もある。しかしながら、予約している番組をテレビの画面上で調べようとすると現在視聴している番組において邪魔になる。そこで、一度検索を実施した番組カテゴリにマッチする番組の開始が、自動的に通知されるようにすれば、このような弊害を防ぐことができる。なお、ここで番組予約した番組は、一度検索を実施した番組カテゴリにマッチする番組とする。
【０１０９】
この場合、本実施の形態で、図１０を用いて説明した定期的な番組コンテンツ変更を通知するための独立した処理において、番組の開始を通知するように処理させればよい。具体的には、ステップＳ１００６において、番組が開始する時間を変更通知時間として記録する。そして、ステップＳ１００８の判定において、該変更通知時間と現在の時刻がマッチした場合に、ステップＳ１００９において、開始されたコンテンツ情報を含む新たなコンテンツ・リストを作成し、以降の処理を実行するようにする。これにより、ユーザは番組の開始を知ることができる。ここで、開始直後のコンテンツについての番組の情報を割り当てた番組選択ボタン１１４の点灯を他のものと識別できるようにすれば、ユーザはその開始を分かり易く知ることができる。
【０１１０】
このような構成とすれば、例えば選択した番組カテゴリに対応する番組を番組予約した状態において、視聴している番組から突然番組予約した番組に変更されずに、番組予約した番組の開始を知ることができ、ユーザにとっての取扱性を向上させることができる。
【０１１１】
なお、本実施の形態において、例えば図２や図４等に参照される各機能手段は、不図示のＣＰＵが不図示のＲＯＭに格納されたコンピュータプログラムを実行して、複数のハード構成要素を制御することで実現されることは言うまでもない。
【０１１２】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【０１１３】
この場合、記憶媒体から読み出されたプログラムコード自体が上述した実施形態の機能を実現することになり、プログラムコード自体及びそのプログラムコードを記憶した記憶媒体は本発明を構成することになる。
【０１１４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１１５】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【０１１６】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【０１１７】
【図１】本発明の実施の形態に係るテレビ及びリモコンを示す図である。
【図２】本発明の実施の形態に係るテレビのシステム構成を示す図である。
【図３】本発明の実施の形態に係るテレビが管理する録画管理テーブルを示す図である。
【図４】本発明の実施の形態に係るリモコンのシステム構成を示す図である。
【図５】本発明の実施の形態に係るリモコンが管理する番組カテゴリ・リストを示す図である。
【図６】本発明の実施の形態に係るリモコンにおける番組カテゴリの表示と操作について説明するための図である。
【図７】本発明の実施の形態に係るテレビ及びリモコンにおいてスクリプトの送受信を行なうときのに用いるフォーマットの一例を示す図である。
【図８】本発明の実施の形態に係るテレビ及びリモコンにおいて、リモコンがテレビに対して、番組カテゴリにマッチしたコンテンツ情報の検索及び返信を依頼するときの処理について説明するためのフローチャートである。
【図９】本発明の実施の形態に係るテレビがリモコンから選択番組カテゴリ・スクリプトを受信したときの処理を説明するためのフローチャートである。
【図１０】本発明の実施の形態に係るテレビが定期的な番組コンテンツ変更をリモコンに通知するときの処理について説明するためのフローチャートである。
【図１１】本発明の実施の形態に係るリモコンがテレビで作成された番組コンテンツ・スクリプトを受信したときの処理について説明するためのフローチャートである。
【図１２】本発明の実施の形態に係るリモコンが番組選択ボタンを点灯させる場合の、点灯させる順番を説明するための図である。
【符号の説明】
【０１１８】
１０１  テレビ
１１０  リモートコントローラ（リモコン）
１１１  番組カテゴリ表示部
１１２  ノブ
１１３  カテゴリ選択決定ボタン
１１４  番組選択ボタン
１１５  チャンネルアップダウンキー
１１６  音量調整アップダウンキー
２０１  チューナ部
２０２  音声処理部
２０３  音声発生部
２０４  映像処理部
２０５  表示部
２０６  日付時刻管理部
２０７  番組カテゴリ管理部
２０８  録画番組管理部
２０９  再生録画ユニット
４０１  番組コンテンツ管理部
４０２  番組カテゴリ表示部
４０３  番組カテゴリ操作部
４０４  番組選択操作部
４０６  テレビ通信部
【図１】
2008236647.tif 000003
【図２】
2008236647.tif 000004
【図３】
2008236647.tif 000005
【図４】
2008236647.tif 000006
【図５】
2008236647.tif 000007
【図６】
2008236647.tif 000008
【図７】
2008236647.tif 000009
【図８】
2008236647.tif 000010
【図９】
2008236647.tif 000011
【図１０】
2008236647.tif 000012
【図１１】
2008236647.tif 000013
【図１２】
2008236647.tif 000014